(57)【要約】  【課題】  回路付きの電動送風機を使用する機器の中で、特に、電気掃除機等の塩分を含んだ水分を吸込む恐れの有る状況で使用される電気機器に於いて、パワー素子に対する前記水分からの保護として、一般的には、パワー素子を含めた基板全体をシリコン等の絶縁材の中に埋設するといった構成が取られている、しかしながらこういった工法の場合、パワー素子のリード部分を埋設するには、多量の絶縁材が必要であるばかりか、その絶縁材の厚みの為に、基板に実装されている部品の放熱が悪くなってしまうといった課題がある。  【解決手段】  基板全体は、シリコン系のコーティング材等の薄膜により保護し、パワー素子については、リード部分のみをシリコン等の絶縁剤で、保護する構成にすることにより、基板に実装される部品の放熱性を確保しつつ、前記水分からも充分に保護可能となる。  【選択図】  図１
2006257973.tif 000002
【特許請求の範囲】
【請求項１】
一対のブラケットにより固定された固定子と、固定子の中に設けられ一
方がブラケットから長手方向に延びた出力軸を有する回転子と、その出力軸に取り付けられた回転ファンと、前記固定子及び、回転子と前記回転ファンとの間を仕切るように取り付けられたエアガイドと、前記回転ファン及びエアガイドを覆う様に取り付けられたファンケースから構成され、電動送風機駆動用の回路を前記電動送風機の通風路に設け、冷却効果を持たせた電動送風機において、前記基板部分の絶縁構成とパワー素子のリード部分の絶縁構成が異なることを特徴とする電動送風機。
【請求項２】
請求項１に記載の電動送風機において、パワー素子の絶縁構成をパワー素子のリード部分の周囲に設けられた環状の部品の中にシリコン等の絶縁材を、リード部分全体を覆い隠すことにより、絶縁性を保たせる構成とした事を特徴とする電動送風機。
【請求項３】
請求項１に記載の電動送風機において、パワー素子の絶縁構成をパワー
素子のリード部分の周囲に設けられた成形部品の中にシリコン等の絶縁材を、前記成形部品内を充填することにより、絶縁性を保たせる構成とした事を特徴とする電動送風機。
【請求項４】
請求項１から３に記載の電動送風機を、吸込み用の電動機として利用することを特徴とした電気掃除機。
【発明の詳細な説明】
【技術分野】
【０００１】
本発明は、電気機器等に用いられる、電動送風機に関する。
【背景技術】
【０００２】
近年、電動送風機を内包する電気機器には、回路付きの電動機を使用する機器が増えてきている。
【０００３】
この様な中、電気掃除機のような、塩分を含んだ水分を吸い込む可能性能のある電気機器においては、前記水分に対する絶縁性を確保しながら、近年の電動機の出力アップに伴う大電流化により、困難になってきているパワー素子や、ドライブ回路の冷却に対しても、充分な効果が得られないと、モータの異常発熱や、ひどい時には、発火してしまうといった課題があり、一般的には絶縁に対しては、パワー素子のリード部分を含んだドライブ回路全体をシリコン等のボッティング剤等に埋没するといった構成で対策し、放熱に関しては電動送風機の通風路にあたる部分に、パワー素子を含むドライブ回路全体を配設するといった構成で対策している。
【０００４】
以下に、従来の電動送風機について図を参照しながら詳細に説明する。図４は、従来
の電動送風機の半断面図を表している、従来の電動送風機に於いては、図４に示すように、固定子１及び回転子２が取り付けられた一対のブラケット３，４において、回転子２の出力軸５の一方をブラケット３および４から長手方向に延長し、その出力軸５に回転ファン６を取り付け、回転ファン６と固定子１及び回転子２との間を仕切る様にしてエアガイド７を取り付け、回転ファン６を覆うようにファンケース８が取り付けられている。
【０００５】
そして、図４に示すように電動送風機運転用のドライブ回路９が電動送風機の運転によって排出される風の通風路となる位置に配設され、パワー素子１０が３相ブラシレスモータの場合６個、一対のブラケット３および４の表面に取り付けられ、それら基板全体を包み込む様に、電動送風機を電気機器本体に組込むための基板カバー１１が組付けられている。
【０００６】
上記のようにしてなる、電動送風機において、パワー素子１０及びドライブ回路９の絶縁性を確保するために、前記本体組込み用の基板カバー１１をポッティング用のケースがわりに利用して、パワー素子１０のリード部分１０ａを含んだドライブ回路全体をシリコン等のボッティング剤１２の中へ埋没させるといった構成をとるのが一般的である。
【０００７】
しかしながら、上記のような方法では、絶縁に対しての効果は見込めるのであるが、ドライブ回路９が、シリコン等のボッティング剤１２の中に埋没されていることにより、どうしても基板に実装されている部品の放熱が悪くなってしまうため、ポッティング剤１２の材質を放熱性の良いものに変更したり、絶縁性と放熱性を両立できるギリギリの量にポッティング剤１２を管理するといった対策を施さなければ、絶縁性の確保ができず、絶縁不良になってしまったり、放熱性の確保ができず、電動機の異常過熱によりひどい時には電動機が発火してしまうといった課題を有していた。（例えば、特許文献１参照）
【特許文献１】特開平９−２４２６９９号公報
【発明の開示】
【発明が解決しようとする課題】
【０００８】
本発明は、上記従来例の課題点を鑑み、電動送風機に配設されるパワー素子及びドライブ回路の絶縁性を十分に確保しながら、特殊な絶縁剤の使用や、絶縁剤の量の管理なしに、パワー素子を含むドライブ回路全体の冷却性能を確保できる電動送風機を提供することを目的とする。
【課題を解決するための手段】
【０００９】
上記課題点を解決するために、本発明の電動送風機は、パワー素子のリード部分の絶縁構成とドライブ回路部分の絶縁構成を異なる構成とする。
【００１０】
上記構成によれば、塩分を含んだ水分を吸い込んだ場合でもパワー素子を含んだドライブ回路全体の絶縁性を確保しながら、ドライブ回路の充分な冷却効果を得ることが可能となる。
【発明の効果】
【００１１】
以上説明したように、本発明によれば、塩分を含んだ水分を吸い込んだ際のパワー素子を含むドライブ回路の絶縁に対しても充分な効果が得られると共に、ドライブ基板の表面に実装された部品の放熱に対しても充分な効果が得られる電動送風機を提供することが可能となる。
【発明を実施するための最良の形態】
【００１２】
以下、図面を参照にしながら、本発明の電動送風機について、一実施例を元に詳細に説明する。
【実施例】
【００１３】
図１は、本発明の実施例に於ける電動送風機の半断面図を示している。本発明の電動機に於いては、従来の電動機と同様に図１に示すように、固定子１及び回転子２が取り付けられた一対のブラケット３，４において回転子２の出力軸５の一方をブラケット３および４から長手方向に延長し、その出力軸５に回転ファン６を取り付け、回転ファン６と固定子１及び回転子２との問を仕切るようにしてエアガイド７を取り付け、回転ファン６を覆うようにファンケース８が取り付けられている。
【００１４】
そして、図１に示すように電動送風機運転用のドライブ回路９が電動送風機の運転によって排出される風の通風路となる位置に配設され、パワー素子１０が３相ブラシレスモータの場合６個、一対のブラケット３および４の表面に取り付けられ、それら基板全体を包み込む様に、電動送風機を電気機器本体に組込むための基板カバー１１が組付けられている。
【００１５】
上記のようにしてなる、本発明の実施例に於いて、パワー素子１０及びドライブ回路９の絶縁性を確保するために、パワー素子１０のリード部分１０ａの周囲に環状の部品１３を設けその中にパワー素子１０のリード部分１０ａが充分に埋まるように、シリコン等の絶縁剤１２を充填する構成とし、ドライブ基板９の絶縁に対しては、シリコン系の薄膜コーティング剤１３をじゃぼ漬けにより塗布する構成とすることにより、塩分を含んだ水分を吸い込んだ際の絶縁に対しても充分な効果が得られると共に、ドライブ回路９の絶縁に薄膜のコーティング剤を使用しているために、充分な放熱効果が得られる構成となり、絶縁・放熱の両面で大きな効果を得ることができる。
【００１６】
また請求項３記載の実施例では、図２に示すように、前記パワー素子１０のリード部分１０ａへのシリコン塗布の際に使用する環状の部品の変わりに図３に示すような、樹脂成形品を用いることにより、パワー素子１０のリード部分１０ａへのシリコン塗布が、パワー素子の表面から行うことが可能となるため、組立工程の簡略化も可能となる。
【産業上の利用可能性】
【００１７】
本発明は、電気機器等に用いられる、電動送風機に適している。
【図面の簡単な説明】
【００１８】
【図１】本発明の実施例における電動送風機の半断面図
【図２】不発明の他の実施例における電動送風機の半断面図
【図３】本発明の他の実施例における樹脂部品の斜視図
【図４】従来の実施例における電動送風機の半断面図
【符号の説明】
【００１９】
１  固定子
２  回転子
３  ブラケット
４  ブラケット
５  出力軸
６  回転ファン
７  エアガイド
８  ファンケース
９  ドライブ回路
１０  パワー素子
１０ａ  パワー素子のリード部分
１１  基板カバー
１２  シリコン系絶縁剤
１３  環状部品
【図１】
2006257973.tif 000003
【図２】
2006257973.tif 000004
【図３】
2006257973.tif 000005
【図４】
2006257973.tif 000006